(57)【要約】【課題】  ネットワーク放送装置においてバックアップ用のラインの敷設を容易にする。【解決手段】  マイクロホン１０からの音声信号を入力装置２−１乃至２−ｎがデジタル音声信号に変換してハブ４に供給する。ハブ４を介して供給されたデジタル音声信号を出力装置６−１乃至６−ｍが音声信号に変換して出力する。入力装置２−１乃至２−ｎのいずれから出力装置６−１乃至６−ｍのいずれにデジタル音声信号を伝送するかをシステムマネージャ８が制御する。入力装置２−１乃至２−ｎ、システムマネージャ８、出力装置６−１乃至６−ｍ間にアナログ伝送ライン２２ａとＣＰＵＯＦＦライン２２ｂとが続接続されている。ＣＰＵＯＦＦライン２２ｂにＣＰＵＯＦＦ信号が供給されたとき、出力装置６−１乃至６−ｍにおいてバックアップライン２２ａを伝送されてきた音声信号を出力する。【選択図】        図１
2008067175.tif 000002
【特許請求の範囲】
【請求項１】
アナログ音源が接続され、アナログ音源からのアナログ可聴音信号をデジタル可聴音信号に変換して、ネットワークに供給する複数の入力装置と、
前記ネットワークを介して供給されたデジタル可聴音信号をアナログ可聴音信号に変換して、出力する複数の出力装置と、
前記各入力装置のいずれから前記各出力装置のいずれに前記デジタル可聴音信号を伝送するかを前記ネットワークを介して制御する制御装置とを、
具備するネットワーク放送装置において、
前記各入力装置と前記制御装置と前記各出力装置とを接続するように敷設された、アナログ可聴音信号のバックアップ伝送ラインと、
前記各入力装置から前記制御装置と前記各出力装置とに敷設され、前記各入力装置のいずれかから制御信号が供給される制御ラインとを
具備し、前記制御ラインに前記制御信号が供給されたとき、前記各出力装置において前記バックアップ伝送ラインを伝送されてきた前記アナログ可聴音信号を出力するネットワーク放送装置。
【請求項２】
請求項１記載のネットワーク放送装置において、前記バックアップ伝送ラインと前記制御ラインとが、一体のケーブルに構成されているネットワーク放送装置。
【請求項３】
請求項１記載のネットワーク放送装置において、
停電時に、前記各入力装置、前記各出力装置、前記ネットワーク及び前記制御装置に動作電源供給可能に接続された無停電電源供給装置と、
前記各入力装置、前記各出力装置及び前記制御装置間に敷設された起動ラインとを、
具備し、前記制御装置は、前記停電時に前記各入力装置、前記各出力装置を待機モードとし、前記起動ラインに起動信号が供給されたとき、前記各入力装置及び前記各出力装置を通常モードとする
ネットワーク放送装置。
【請求項４】
請求項３記載のネットワーク放送装置において、前記起動ラインが、前記バックアップライン及び前記制御ラインと共に組を構成しているネットワーク放送装置。
【請求項５】
ネットワークを介して複数の端末装置間で信号の送受可能で、この送受を制御装置が制御するネットワーク信号伝送装置において、
停電時に前記各端末装置及び前記ネットワークに動作電源供給可能に設けられた無停電電源供給装置と、
前記各端末装置及び前記制御装置間に敷設された起動ラインとを、
具備し、前記制御装置は、前記停電時に前記各端末装置を待機モードとし、前記起動ラインに起動信号が供給されたとき、前記各端末装置を通常モードとする
ネットワーク信号伝送装置。
【発明の詳細な説明】
【技術分野】
【０００１】
本発明は、ネットワークを利用して、信号の送受を行うネットワーク信号伝送装置、例えばネットワークを利用して放送を行うネットワーク放送装置に関し、特に、ネットワークを利用しての放送不能となった際のバックアップに関する。
【背景技術】
【０００２】
放送不能となった場合に、緊急メッセージの放送を行える構内放送装置が、例えば特許文献１に開示されている。この構内放送装置では、複数の放送音源からの音声信号がマトリクス回路の入力側に供給されている。マトリクス回路の複数の出力側が、それぞれスピーカに供給されている。予め指定された放送音源の音声信号を指定されたスピーカに供給できるように、ＣＰＵがマトリクス回路の入力側と出力側との接続制御を行っている。緊急メッセージ放送用のマイクロホンからの音声信号を伝送するための線路が、マトリクス回路とは別に、各スピーカまで敷設され、この線路とマトリクス回路の出力側とのうち一方をスピーカに接続する切換スイッチが各スピーカに設けられている。各切換スイッチは、一斉にマトリクスの出力側または線路側に切り換えられる。
【０００３】
【特許文献１】特開平１０−３０３８３７号公報
【発明の開示】
【発明が解決しようとする課題】
【０００４】
特許文献１に開示された技術では、特定のマイクロホンから線路を各スピーカまで敷設しているので、マイクロホンを増加させたい場合には、そのマイクロホンと同数の線路を各スピーカまで敷設する必要があり、敷設工事が面倒である。
【０００５】
本発明は、敷設工事が容易で緊急放送が可能なネットワーク放送装置を提供することを目的とする。本発明の他の目的は、後述する説明より明確になる。
【課題を解決するための手段】
【０００６】
本発明の一態様のネットワーク放送装置は、複数の入力装置を有している。これら入力装置にはアナログ音源、例えばマイクロホンが接続されている。これら入力装置は、アナログ音源からのアナログ可聴音信号をデジタル可聴音信号に変換して、ネットワークに供給する。ネットワークを介してデジタル可聴音信号が複数の出力装置に供給される。各出力装置は、供給されたデジタル可聴音信号をアナログ可聴音信号に変換して、出力する。各入力装置のいずれから各出力装置のいずれに前記デジタル可聴音信号を伝送するかをネットワークを介して制御装置が制御する。前記各入力装置と前記制御装置と前記各出力装置とを接続するように、アナログ可聴音信号のバックアップ伝送ラインが敷設されている。各入力装置から制御装置と各出力装置とに制御ラインが敷設されている。この制御ラインには、各入力装置のいずれかから制御信号が供給される。制御ラインに制御信号が供給されたとき、各出力装置においてバックアップ伝送ラインを伝送されてきたアナログ可聴音信号を出力する。例えば各出力装置には、制御信号検出手段が設けられ、この制御信号検出手段が制御信号を検出したとき、バックアップ伝送ラインを伝送されてきたアナログ可聴音信号を出力する。
【０００７】
このように構成されたネットワーク放送装置では、例えばネットワークを介して放送が行えない場合に、いずれかの入力装置において、制御ラインに制御信号を供給すると、各入力装置及び制御装置を接続している制御ラインを介して各出力装置に伝送され、各出力装置では、バックアップ伝送ラインからのアナログ可聴音信号を出力する状態になる。この状態で、制御信号を供給した入力装置でアナログ可聴音を発生すると、これが各入力装置及び制御装置間のバックアップ伝送ラインを経て、各出力装置に供給され、出力される。従って、いずれの入力装置からでも緊急放送を行うことができる。しかも、緊急放送用のラインは、各入力装置、制御装置及び各出力装置を縦続接続するように敷設されたバックアップ伝送ラインと、制御ラインだけであり、各入力装置から個別に各出力装置にバックアップ用伝送ラインを敷設する必要がなく、敷設作業が容易に行える。
【０００８】
バックアップ伝送ラインと制御ラインとは、一体に形成されたケーブルに構成することができる。このように構成すると、１つのケーブルを各入力装置、制御装置及び各出力装置間に敷設するだけでよく、別々にバックアップ伝送ラインと制御ラインとを敷設する必要が無く、敷設工事が更に容易になる。
【０００９】
或いは、停電時に、前記各入力装置、前記各出力装置、前記ネットワーク及び前記制御装置に動作電源供給可能に無停電電源供給装置を接続することができる。この場合、前記各入力装置、前記各出力装置及び前記制御装置間に起動ラインが敷設される。更に、制御装置は、停電時に各入力装置、前記各出力装置を待機モードとし、各入力装置及び出力装置における電力消費を削減する。起動ラインに起動信号が供給されたとき、各入力装置、各出力装置は、待機モードから通常モードに移行する。
【００１０】
このように構成すると、停電時には、無停電電源供給装置によって動作電力が供給されるが、入力装置、出力装置及びネットワークライン（ハブ等）は、待機モードとなり、電力消費が抑えられている。この状態において、緊急放送の必要がある場合には、上述した制御ラインとバックアップ伝送ラインとを用いて、緊急放送を行える。即ち、待機モードでは、制御ラインとバックアップ伝送ラインとを用いた放送が可能とされている。したがって、待機モードでは、出力装置及び入力装置は多くの電力を消費せず、しかも緊急放送が可能である。また、停電中に、機器や機器間の故障検知、情報伝達、一斉放送以外の放送を行う等の場合で、一時的にネットワーク接続を行うために、起動信号が起動ラインに供給されると、通常モードに戻り、各入力装置からのデジタル可聴音信号をネットワークを通じて所定の出力装置に供給することが可能となる。その際には、ネットワークを通じて、各機器を再び待機モードに戻すことができる。
【００１１】
起動ラインは、バックアップライン及び前記制御ラインと共に一体に構成されているものとすることができる。このように構成すると、１本のケーブルを敷設するだけで、起動ライン、バックアップ伝送ライン及び制御ラインを敷設することができ、敷設作業が容易になる。
【００１２】
本発明の他の態様のネットワーク信号伝送装置は、ネットワークを介して複数の端末装置間で信号の送受可能で、この送受を制御装置が制御する。端末装置間での信号の送受は、或る端末装置から他の特定の端末装置に信号を伝送する単方向の信号の送受もあるし、或る端末装置と他の特定の端末装置との間で相互に信号を伝送する双方向の信号の送受もある。停電時に前記各端末装置及び前記ネットワークに動作電源供給可能に、無停電電源供給装置が設けられている。前記各端末装置び前記制御装置間に起動ラインが敷設されている。前記制御装置は、前記停電時に前記各端末装置を待機モードとし、前記起動ラインに起動信号が供給されたとき、前記各端末装置を通常モードとする。通常モードは、例えば、上述したネットワークを介して複数の端末装置間で信号の送受が可能なモードであり、待機モードは、例えば、ネットワークを介して複数の端末装置間での信号の送受を中止しているモードである。
【００１３】
このように構成したネットワーク信号伝送装置では、停電時には、無停電電源供給装置によって動作電力が供給されるが、端末装置及びネットワークライン（ハブ等）は、待機モードとなり、電力消費が抑えられている。また、停電中に、端末装置自体や端末装置間の故障検知、情報伝達などを行う場合、一時的にネットワーク接続を行うために、起動信号が起動ラインに供給されると、通常モードに戻り、各端末装置間で信号の送受が可能となる。その際には、ネットワークを通じて、各端末装置を再び待機モードに戻すことができる。
【発明の効果】
【００１４】
以上のように本発明によるネットワーク放送装置によれば、ラインの容易な敷設工事だけで、緊急放送を行うことができる。また、本発明によるネットワーク信号伝送装置では、停電時の電力消費を抑えることができる上に、必要なときにはネットワークを介しての信号の送受を行うことができる。
【発明を実施するための最良の形態】
【００１５】
本発明の１実施形態のネットワーク放送装置は、図１に示すように、複数、例えばｎ台の端末装置、例えば入力装置２−１乃至２−ｎを有している。これら入力装置２−１乃至２−ｎは、全て同一の構成でネットワーク、例えばスイッチングハブ（以下、ハブと称する。）４に接続されている。また、ハブ４は、複数台、例えばｍ台の端末装置、例えば出力装置６−１乃至６−ｍにも接続されている。各出力装置６−１乃至６−ｍも全て同一の構成である。さらに、ハブ４には、制御装置、例えばシステムマネージャ８も接続されている。
【００１６】
これら入力装置２−１乃至２−ｎのいずれからのデジタル信号も、ハブ４を介して各出力装置６−１乃至６−ｍのうち所望のものに伝送される。例えば入力装置２−１から出力装置６−１にデジタル信号を伝送する場合、入力装置２−１はハブ４を介してシステムマネージャ８に、出力装置６−１にデジタル信号を伝送することを要求する。システムマネージャ８は、出力装置６−１への伝送が可能であるかチェックし、可能である場合、入力装置２−１に送信許可を与えると共に、出力装置６−１に入力装置２−１からのデジタル信号の受信を要求する。他の入力装置２−２乃至２−ｎからも同様にして、出力装置６−１乃至６−ｍに伝送可能である。
【００１７】
各入力装置２−１乃至２−ｎからのデジタル信号は、図２に示すように、例えば各入力装置２−１乃至２−ｎにそれぞれ複数台接続された音源、例えばマイクロホン１０（図２では１台だけ示してある。）からのアナログ可聴音信号、例えば音声信号を、マイクアンプ１１で増幅した後、Ａ／Ｄ変換器１２によってデジタル可聴音信号、例えばデジタル音声信号に変換したものである。このデジタル音声信号は、各入力装置２−１乃至２−ｎに備えられているネットワーク処理回路、例えばＣＰＵ１４に供給され、ここからハブ４に供給される。
【００１８】
各出力装置６−１乃至６−ｍでは、図３に示すように、ハブ４から供給されたデジタル音声信号は、ネットワーク処理回路、例えばＣＰＵ１６に供給され、ここからＤ／Ａ変換器１８に供給されて、アナログ可聴音信号、例えばアナログ音声信号に復元され、通常閉じられている開閉スイッチ１９を介してバッファアンプ２０ａ、パワーアンプ２０ｂを経て拡声装置、例えばスピーカ２１に供給される。
【００１９】
図１に示すように、各入力装置２−１乃至２−ｎは、バックアップケーブル２２に接続され、最終の入力装置２−ｎは、バックアップケーブル２２によってシステムマネージャ８に接続され、システムマネージャ８は、バックアップケーブル２２を介して出力装置６−１に接続されている。また各出力装置６−１乃至６−ｍは、バックアップケーブル２２を介して、出力装置６−１から出力装置６−ｍまで順に接続されている。即ち、各入力装置２−１乃至２−ｎ、システムマネージャ８、各出力装置６−１乃至６−ｍは、縦続接続されている。
【００２０】
各バックアップケーブル２２は、図２乃至図４に示す４本のラインを一体に設けたもので、各ラインとしては、アナログバックアップ伝送ライン、例えばアナログライン２２ａと、制御ライン、例えばＣＰＵＯＦＦライン２２ｂと、起動ライン、例えばリセット・スタンバイ起動ライン２２ｃと、接続チェックライン２２ｄとからなる。
【００２１】
アナログライン２２ａとＣＰＵＯＦＦライン２２ｂとは、緊急放送を行う場合に使用される。即ち、各入力装置２−１乃至２−ｎに接続されているマイクロホン１０には、図２に示すようにＣＰＵＯＦＦスイッチ２４が設けられている。ＣＰＵＯＦＦスイッチ２４は、このネットワーク放送装置において、なんらかの原因で放送が行えない状態で、緊急放送を行いたい場合に操作される。或る入力装置においてＣＰＵＯＦＦスイッチ２４が操作されると、この操作に応じてこの入力装置内のＣＰＵＯＦＦ出力部２６が、制御信号、例えばＣＰＵＯＦＦ信号を出力する。このＣＰＵＯＦＦ信号は、他の入力装置、システムマネージャ８、出力装置６−１乃至６−ｍにＣＰＵＯＦＦライン２２ｂを介して伝送される。
【００２２】
このＣＰＵＯＦＦ信号は、ＣＰＵＯＦＦ信号を発生した入力装置のＣＰＵＯＦＦ検知部２８にそのまま供給される。各入力装置２−１乃至２−ｎのＣＰＵＯＦＦ検知部２８は、ＣＰＵＯＦＦ信号に応動してＣＰＵＯＦＦ検知信号を発生する。ＣＰＵＯＦＦ検知信号は、ＣＰＵ１４に供給される。ＣＰＵ１４は、ＣＰＵＯＦＦ検知信号の供給によってネットワーク放送が正常に行われていないことを知り、ネットワーク処理を中止する。また、このＣＰＵＯＦＦ検知信号の発生によって、マイクアンプ１１とバッファアンプ１１ａとの間の開閉スイッチ３０が閉じられる。同時に、ＣＰＵＯＦＦ検知信号によって、マイクロホン１０に設けられているトークスイッチ３２を伝送する開閉スイッチ３４が閉じられる。この状態で、ＣＰＵＯＦＦスイッチ２４が操作された入力装置のトークスイッチ３２が操作されると、閉じられている開閉スイッチ３４を介してバッファアンプ１１ａの出力側にある開閉スイッチ３６に閉信号が供給され、開閉スイッチ３６が閉じられる。この状態で、マイクロホン１０に向かって送話すると、アナログ音声信号がマイクアンプ１１、開閉スイッチ３０、バッファアンプ１１ａ、開閉スイッチ３６を介して音声出力部３８に供給され、この音声出力部３８からアナログライン２２ａを介して他の入力装置２−１乃至２−ｎ及び出力装置６−１乃至６−ｍに伝送される。
【００２３】
各出力装置６−１乃至６−ｍでは、図３に示すように、ＣＰＵＯＦＦライン２２ｂによって伝送されたＣＰＵＯＦＦ信号は、ＣＰＵＯＦＦ検知部４０に供給され、ＣＰＵＯＦＦ検知部４０は、ＣＰＵＯＦＦ検知信号を発生する。ＣＰＵＯＦＦ検知信号は、ＣＰＵ１６に供給される。これによってＣＰＵ１６は、ネットワーク放送が正常に行われていないことを知り、ネットワーク処理を中止する。一方、ＣＰＵＯＦＦ検知信号は、バッファアンプ２０ａの入力側とアナログ音声ライン２２ａからの音声信号を入力する音声入力部４２の出力側との間にある開閉スイッチ４４を閉じる。同時に、開閉スイッチ１９が開かれる。開閉スイッチ４４が閉じられたことによって、アナログライン２２ａを介して伝送されてきたアナログ音声信号が、音声入力部４２、開閉スイッチ４４を介してバッファアンプ２０ａ、パワーアンプ２０ｂを介してスピーカ２１に供給される。従って、ネットワーク放送を行えない状態でも、緊急の放送を行うことができる。
【００２４】
なお、上記の説明は、或る１台の入力装置から緊急放送を行う場合について説明したが、他の入力装置においても、同様にＣＰＵＯＦＦスイッチ２４の操作とトークスイッチ３２の操作によって緊急放送を行うことができる。また、或る入力装置から緊急放送が行われた場合、ＣＰＵＯＦＦライン２２ｂにＣＰＵＯＦＦ信号が既に供給されているので、各入力装置では開閉スイッチ３０、３４は既に閉じられており、トークスイッチ３２を操作するだけで他の入力装置から緊急放送が行える。
【００２５】
ＣＰＵＯＦＦ信号がＣＰＵＯＦＦライン２２ｂに供給されたとき、ＣＰＵＯＦＦ信号は図４に示すシステムマネージャ８のＣＰＵＯＦＦ検知部４６に供給される。これに応動して、ＣＰＵＯＦＦ検知部４６はＣＰＵＯＦＦ検知信号をＣＰＵ４８に供給する。ＣＰＵ４８は、ネットワーク放送が正常に行われていないことを知り、ネットワーク処理を中止する。
【００２６】
このようにして、入力装置２−１乃至２−ｎのいずれからでも緊急放送を行うことができ、しかも、そのために敷設されているラインは、各入力装置２−１乃至２−ｎ、システムマネージャ８、出力装置６−１乃至６−ｍ間を接続しているバックアップケーブル２２のみであり、各入力装置２−１乃至２−ｎから個別に各出力装置６−１乃至６−ｍに緊急放送用のラインを敷設する必要はない。しかも、この緊急放送に使用する２つのラインであるアナログライン２２ａとＣＰＵＯＦＦライン２２ｂとが１つのケーブル２２内に設けられているので、更に敷設が容易になる。
【００２７】
ケーブル２２内に設けられているリセット・スタンバイ起動ライン２２ｃは、例えば各入力装置２−１乃至２−ｎのＣＰＵ１４、各出力装置６−１乃至６−ｍのＣＰＵ１６をリセットするために使用される。例えば、ノイズやソフトウエアのバグ等の原因によってネットワーク放送が良好に行われなくなっているとシステムマネージャ８が判断した場合、システムマネージャ８において、ＣＰＵ４８からＲＥＳＥＴ出力部５０にリセット指令が与えられ、リセット出力部５０がリセット・スタンバイ起動ライン２２ｃにリセット信号を供給する。各入力装置２−１乃至２−ｎでは、リセット・スタンバイ起動ライン２２ｃに接続されているリセット検知部５２がリセット信号を検知し、リセット検知信号をＣＰＵ１４に供給し、ＣＰＵ１４をリセットする。同様に、各出力装置６−１乃至６−ｍにおいても、リセット・スタンバイ起動ライン２２ｃに接続されているリセット検知部５４がリセット信号を検知し、リセット検知信号をＣＰＵ１６に供給し、ＣＰＵ１６をリセットする。各入力装置２−１乃至２−ｎ、各出力装置６−１乃至６−ｍのリセットされたＣＰＵ１４、１６は、システムマネージャ８と通信を行って、ネットワークを再構築する。或いは、各入力装置２−１乃至２−ｎや各出力装置６−１乃至６−ｍやシステムマネージャ８に設けられたリセットスイッチ５５、５６、５８やこのラインの任意の場所に設置可能なリセットスイッチを人が押すことでリセット検知信号がＣＰＵ１４、１６に、リセット指示がＣＰＵ４８に供給され、リセットできる。このようにリセットすることによって、ネットワーク放送を再開することができることがある。
【００２８】
また、リセット・スタンバイ起動ライン２２ｃは、各入力装置２−１乃至２−ｎ、各出力装置６−１乃至６−ｍを待機状態、例えばスタンバイ状態において、起動するのにも使用される。即ち、図１に示すように、このネットワーク放送装置には、無停電電源供給装置４４が設けられ、停電時に、無停電電源供給装置４４から各入力装置２−１乃至２−ｎ、ハブ４、各出力装置６−１乃至６−ｍ及びシステムマネージャ８に動作電力が供給される。但し、各入力装置２−１乃至２−ｎ、ハブ４、各出力装置６−１乃至６−ｍ及びシステムマネージャ８をフル稼働させていると、これら装置での消費電力が大きく、無停電電源供給装置４４から短時間しか動作電力の供給が行えない。
【００２９】
そこで、無停電電源供給装置４４による電源供給が開始されると、システムマネージャ８は、無停電電源供給装置４４から電力供給が開示されたことを検出し、ハブ４を介して各入力装置２−１乃至２−ｎ、出力装置６−１乃至６−ｍを待機モードとすると共に、システムマネージャ８自身も待機モードとなる。
【００３０】
入力装置２−１乃至２−ｎは、待機モードでは、ＣＰＵ１４にリセット・スタンバイ起動ライン２２ｃを介して起動信号が供給されたときに動作可能な最低限度の電力が供給されている。出力装置６−１乃至６−ｍでも、待機モードでは、ＣＰＵ１６にリセット・スタンバイ起動ライン２２ｃを介して起動信号が供給されたときに動作可能な最低限度の電力が供給されている。システムマネージャ８も同様である。
【００３１】
従って、待機モードでは、上述したようにＣＰＵＯＦＦスイッチ２４とトークスイッチ３２の操作によってアナログで緊急放送を行える。しかも、無停電電源供給装置４４からの動作電力の供給は、最低限度のものであるので、長時間にわたって電力供給することができ、例えば無停電電源供給装置４４によって電力供給できる時間が定められているような場合でも、無停電電源供給装置４４に小容量のものを使用することができる。
【００３２】
なお、電力供給が復旧した場合、システムマネージャ８から起動信号がリセット・スタンバイ起動ライン２２ｃに供給され、これを受けて、各入力装置２−１乃至２−ｎ、出力装置６−１乃至６−ｍのＣＰＵ１４、１６等が通常動作モードに復帰する。そのため、システムマネージャ８のＣＰＵ４８がスタンバイ起動出力部６０に、通常閉じられている開閉スイッチ６２を介して起動指示を与えると、スタンバイ起動出力部６０がリセット・スタンバイ起動ライン２２ｃに起動信号を供給する。各入力装置２−１乃至２−ｎや各出力装置６−１乃至６−ｍにおいて、リセット・スタンバイ起動ライン２２ｃ接続されているスタンバイ起動検知部６４、６６は起動信号を検知し、起動検知信号をＣＰＵ１４、１６に供給する。これによって通常動作モードに各入力装置２−１乃至２−ｎ、各出力装置６−１乃至６−ｍが復帰する。
【００３３】
なお、開閉スイッチ６２は、リセット出力部５０にリセット指示が与えられたときやリセットスイッチ５８が操作されたときに開放され、開閉スイッチ７２、７４は、リセット検知部５２、５４がリセット検知信号を発生したときやリセットスイッチ５５、５６が操作されたときに開放される。これらは、リセット信号と起動信号とを同じ信号ラインであるリセット・スタンバイ起動ライン２２ｃを利用して伝送しており、リセットの優先度が起動よりも高いので、リセット信号が伝送されているとき、起動信号が伝送されないようにするためである。
【００３４】
また、無停電電源供給装置４４によって動作している状態において、システムマネージャ８に設けられた計時手段、例えばタイマがタイムアップすることによって、システムマネージャ８から上述したのと同様にして起動信号が供給され、一時的に通常動作モードに復旧することがある。これは、例えば無停電電源供給装置４４によって動作させている状態においても、一定時間ごとになんらかの放送を行う必要がある場合に行われる。また、システムマネージャ８に外部から起動指令が供給された場合にも、システムマネージャ８が上述したのと同様にして起動信号を供給し、通常動作モードに復帰する。
【００３５】
なお、起動指令がシステムマネージャ８ではなく、特定の入力装置または特定の出力装置に供給され、それに応じて特定の入力装置または特定の出力装置が起動信号をリセット・スタンバイ起動ライン２２ｃに供給することもある。この場合、各入力装置２−１乃至２−ｎまたは各出力装置６−１乃至６−ｍのいずれかにおいて、各入力装置２−１乃至２−ｎ、各出力装置６−１乃至６−ｍのいずれかのＣＰＵ１４または１６は、スタンバイ起動出力部６８または７０に通常閉じられている開閉スイッチ７２または７４を介して起動指示を与え、スタンバイ起動出力部６８または７０がリセット・スタンバイ起動ライン２２ｃに起動信号を供給する。この起動信号が他の各入力装置２−１乃至２−ｎまたは各出力装置６−１乃至６−ｍに供給され、これらにおいて上述したのと同様に処理され通常モードに復帰する。この場合、起動信号はシステムマネージャ８のスタンバイ起動検知部７６にリセット・スタンバイ起動ライン２２ｃを介して供給され、スタンバイ起動検知部７６が起動検知信号をＣＰＵ４８に供給し、ＣＰＵ４８も通常モードに復帰する。
【００３６】
或いは、ハブ４にも無停電電源供給装置４４によって動作電力を供給しておき、特定の入力装置または特定の出力装置からハブ４を介してシステムマネージャ８と通信可能にしておき、特定の入力装置または出力装置が起動指令を検出したとき、その旨をハブ４を介してシステムマネージャ８に供給し、システムマネージャ８から起動信号をリセット・スタンバイ起動ライン２２ｃに供給して、通常モードに復帰させることもできる。
【００３７】
いずれの場合でも、ネットワーク放送装置を構成している全ての機器に無停電電源供給装置４４から動作電力を供給している状態ではないので、無停電電源供給装置４４によって長時間にわたって動作電力の供給が可能となる。
【００３８】
なお、ケーブル２２内に設けられている接続チェックライン２２ｄは、各入力装置２−１乃至２−ｎ、システムマネージャ８、各出力装置６−１乃至６−ｍがハードウエア的に正常に接続されているか否かをチェックするためのものである。各入力装置２−１乃至２−ｎ、各出力装置６−１乃至６−ｍは、それぞれ終端部８０を有し、これら終端部８０は隣接する各入力装置２−１乃至２−ｎ、出力装置６−１乃至６−ｍ、システムマネージャ８内の接続検知部８２に接続チェックライン２２ｄを介して接続されている。終端部８０は例えばダイオードと抵抗器から構成され、各接続検知部８２は、接続されている終端部５０の抵抗値が規定の範囲内にあるか否かによって断線または短絡が両者を接続しているケーブル２２において生じているか否かを検知し、その結果を各接続検知部８２が設けられている各入力装置２−１乃至２−ｎ、システムマネージャ８、各出力装置６−１乃至６−ｍのＣＰＵ１４、４８、１６に報知している。これら検知結果がハブ４を介してシステムマネージャ８に伝送され、各入力装置２−１乃至２−ｎ、各出力装置６−１乃至６−ｍ、システムマネージャ８において、どの機器とどの機器との間でケーブル２２が断線または短絡が生じているか知ることができる。
【００３９】
このネットワーク放送装置では、さらに各入力装置２−１乃至２−ｎのバッファアンプ１１ａから各出力装置６−１乃至６−ｍの音声入力部４２の出力側が接続されているかの検査を行うこともできる。例えば通常時に、各出力装置６−１乃至６−ｍに対してシステムマネージャ８からハブ４を介してアナログライン２２ａを介して検査信号を入力するように指示が与えられる。このとき、同時に或る入力装置に対して検査指示がシステムマネージャ８から与えられ、この入力装置のＣＰＵ１４は、Ｄ／Ａ変換器８４にアナログ検査信号を発生させる。この検査信号は、ＣＰＵ１４に閉じられた開閉スイッチ８６（この開閉スイッチ８６は通常開放されているが、この検査指示の時に閉じられる。）を介してバッファアンプ１１ａに供給され、この検査指示によって閉じられた開閉スイッチ３６を介して音声出力部３８に供給され、アナログライン２２ａを介して各出力装置６−１乃至６−ｍに供給される。
【００４０】
各出力装置６−１乃至６−ｍでは、音声入力部４２の出力信号をＡ／Ｄ変換部８８によってデジタル化してＣＰＵ１６に入力する。ＣＰＵ１６は、検査信号が音声入力部４２に供給されているか判別し、その結果をハブ４を介してシステムマネージャ８に連絡する。このような検査信号を全ての入力装置から各出力装置に伝送することで、どのアナログラインで故障が生じているか判別できる。
【００４１】
更に、各入力装置２−１乃至２−ｎでは、マイクロホン１０の出力側からバッファアンプ１１ａの出力側までが正常に動作しているかもチェックすることができる。図示していないが、マイクロホン１０にはアナログ発振信号の発生器が設けられており、この発振信号がマイクアンプ１１ａに入力されたとき、バッファアンプ１１ａの出力信号をＡ／Ｄ変換器１２によってデジタル化し、ＣＰＵ１４に供給する。ＣＰＵ１４がこのデジタル信号がアナログ発振信号をデジタル化したものか判別し、アナログ発振信号と判断できると、マイクアンプ１１の入力側からバッファアンプ１１ａの出力側までが正常であることを確認できる。なお、マイクロホン１０は上述したように複数設けられているので、マイクロホンごとに、順にアナログ発振信号を発生させれば、各マイクロホンの出力側からバッファアンプ１１ａの出力側までを検査することができる。また、アナログ発振信号をマイクロホン１０にピックアップさせるようにすれば、マイクロホン１０を含めて検査することができる。
【００４２】
上記の実施の形態では、各入力装置２−１乃至２−ｎ及び各出力装置６−１乃至６−ｍをバックアップケーブル２２で縦続接続したが、例えば各出力装置は、システムマネージャ８から複数のラインに分岐し、各ライン上に複数の出力装置を縦続接続することもできる。例えば出力装置が６−１乃至６−５の５台とすると、システムマネージャから出力装置６−１に接続し、出力装置６−１から出力装置６−２に接続する。別に、システムマネージャ８から出力装置６−３に接続し、出力装置６−３から出力装置６−４に接続する。更に別に、システムマネージャ８から出力装置６−５に接続する。このように接続すると、例えば出力装置６−３とシステムマネージャ８との間のラインで断線が生じていると、出力装置６−４への信号伝送は不可能であるが、システムマネージャ８から出力装置６−１、６−２、６−５への信号伝送は可能となる。
【００４３】
上記の実施形態では、説明を簡略化するために１台の入力装置に１台のマイクロホン１０が設置される場合について説明したが、これに限ったものではなく、複数台の入力装置にそれぞれ複数台のマイクロホンが設置される場合もある。
【００４４】
上記の実施形態では、各入力装置２−１乃至２−ｎの所定のものから、各出力装置６−１乃至６−ｍのうち所定のものにハブ４を介してデジタル音声信号に基づくパケット信号を伝送したが、これに限ったものではなく、例えば入力装置２−１から入力装置２−ｎまでハブ４を介して例えば１つのパケット信号を伝送し、各入力装置２−１乃至２−ｍは、パケット信号が伝送されたとき、伝送すべきデジタル音声信号があれば、これを分割した複数の分割デジタル音声信号の１つをパケット信号の複数のブロックのうちいずれかに配置し、最後にパケット信号が伝送された入力装置２−ｎは、これら各入力装置２−１乃至２−ｎからの分割デジタル音声信号が配置されたパケット信号をマルチキャストでハブ４を介して各出力装置６−１乃至６−ｍに伝送することを繰り返すようにしてもよい。この場合、各入力装置２−１乃至２−ｎでは、自己のデジタル音声信号を伝送すべき出力装置を予めシステムマネージャ８にハブ４を介して通知しておき、システムマネージャ８は、各出力装置６−１乃至６−ｍに、パケット信号が伝送されてくるごとに、そのパケット信号のどのブロックの分割デジタル音声信号を抽出して、抽出した分割デジタル音声信号を組み立てるかについての指示を与えておく。
【００４５】
上記の実施形態では、ネットワーク放送装置に本発明を実施したが、これに限ったものではなく、例えば複数の通信端末装置をネットワークによって通信可能に接続し、通信制御用にシステムマネージャをネットワークに接続し、起動用バックアップラインを各通信端末装置とシステムマネージャ間に設け、無停電電源装置で各通信端末装置とシステムマネージャを停電時に待機モードで動作させ、起動指令が与えられたとき、起動用バックアップラインを用いて通信端末装置やシステムマネージャを通常モードに復帰させることもできる。
【図面の簡単な説明】
【００４６】
【図１】本発明の１実施形態のネットワーク放送装置のブロック図である。
【図２】図１のネットワーク装置の入力装置のブロック図である。
【図３】図１のネットワーク装置の出力装置のブロック図である。
【図４】図１のネットワーク装置のシステムマネージャのブロック図である。
【符号の説明】
【００４７】
２−１乃至２−ｎ  入力装置（端末装置）
４  ハブ（ネットワーク）
６−１乃至６−ｍ  出力装置（端末装置）
８  システムマネージャ（制御装置）
２２ａ  アナログライン２２ａ（アナログバックアップ伝送ライン）
２２ｂ  ＣＰＵＯＦＦライン（制御ライン）
２２ｃ  リセット・スタンバイ起動ライン（起動ライン）
【図１】
2008067175.tif 000003
【図２】
2008067175.tif 000004
【図３】
2008067175.tif 000005
【図４】
2008067175.tif 000006